【手続補正書】
【提出日】平成27年5月21日(2015.5.21)
【手続補正１】
【補正対象書類名】明細書
【補正対象項目名】発明の名称
【補正方法】変更
【補正の内容】
【発明の名称】画像形成装置、画像形成システム、制御方法、およびプログラム。
【手続補正２】
【補正対象書類名】明細書
【補正対象項目名】０００１
【補正方法】変更
【補正の内容】
【０００１】
本発明は、簡易的にプリントを行うことが可能な仕組みに関する。
【手続補正３】
【補正対象書類名】明細書
【補正対象項目名】０００２
【補正方法】削除
【補正の内容】
【手続補正４】
【補正対象書類名】明細書
【補正対象項目名】０００８
【補正方法】変更
【補正の内容】
【０００８】
本発明は、簡易的にプリントを行わせるべく、認証手段が有効か否かに応じて、認証手段を用いたユーザの印刷データの表示、またはユーザアイコンを用いたユーザの印刷データの表示を簡易に実現する仕組みを提供することを目的とする。
【手続補正５】
【補正対象書類名】明細書
【補正対象項目名】０００９
【補正方法】変更
【補正の内容】
【０００９】
本発明は、印刷データがいずれのユーザ情報に対応するかの情報を含む書誌情報を記憶する記憶手段と、所定の前記ユーザ情報に対応する印刷データの表示に用いるユーザ情報を取得するための認証情報の入力を受け付ける認証手段と、を備える画像形成装置であって、所定の前記ユーザ情報に対応する印刷データを表示画面に表示すべく、前記認証手段により受け付けた前記認証情報に基づいてユーザ情報を取得するユーザ情報取得手段と、前記認証情報の入力を受け付ける前記認証手段が有効か判定する判定手段と、前記判定手段で前記認証手段が有効でないと判定された場合に、いずれのユーザ情報に対応する印刷データを表示画面に表示するかを選択させるための、ユーザ情報に対応するユーザアイコンを表示画面に表示するユーザアイコン表示手段と、前記ユーザアイコン表示手段により表示されたユーザアイコンの選択を受け付ける選択受付手段と、前記判定手段で前記認証手段が有効であると判定された場合であって、前記認証手段で前記認証情報の入力を受け付けた場合に、前記ユーザアイコン表示手段による前記ユーザアイコンの表示をすることなく、前記認証手段で受け付けた認証情報及び前記書誌情報に基づいて前記ユーザ情報取得手段で取得された前記ユーザ情報に対応する印刷データを表示画面に表示し、前記判定手段で前記認証手段が有効でないと判定された場合であって、前記選択受付手段で前記ユーザアイコンの選択を受け付けた場合に、前記書誌情報を用いて、当該選択を受け付けたユーザアイコンのユーザ情報に対応する印刷データを表示画面に表示する印刷データ表示手段とを備えることを特徴とする。
【手続補正６】
【補正対象書類名】明細書
【補正対象項目名】００１０
【補正方法】変更
【補正の内容】
【００１０】
本発明によれば、簡易的にプリントを行わせるべく、認証手段が有効か否かに応じて、認証手段を用いたユーザの印刷データの表示、またはユーザアイコンを用いたユーザの印刷データの表示を容易に実現する仕組みを提供することが可能になる。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】特許請求の範囲
【補正対象項目名】全文
【補正方法】変更
【補正の内容】
【特許請求の範囲】
【請求項１】
印刷データがいずれのユーザ情報に対応するかの情報を含む書誌情報を記憶する記憶手段と、所定の前記ユーザ情報に対応する印刷データの表示に用いるユーザ情報を取得するための認証情報の入力を受け付ける認証手段と、を備える画像形成装置であって、
所定の前記ユーザ情報に対応する印刷データを表示画面に表示すべく、前記認証手段により受け付けた前記認証情報に基づいてユーザ情報を取得するユーザ情報取得手段と、
前記認証情報の入力を受け付ける前記認証手段が有効か判定する判定手段と、
前記判定手段で前記認証手段が有効でないと判定された場合に、いずれのユーザ情報に対応する印刷データを表示画面に表示するかを選択させるための、ユーザ情報に対応するユーザアイコンを表示画面に表示するユーザアイコン表示手段と、
前記ユーザアイコン表示手段により表示されたユーザアイコンの選択を受け付ける選択受付手段と、
前記判定手段で前記認証手段が有効であると判定された場合であって、前記認証手段で前記認証情報の入力を受け付けた場合に、前記ユーザアイコン表示手段による前記ユーザアイコンの表示をすることなく、前記認証手段で受け付けた認証情報及び前記書誌情報に基づいて前記ユーザ情報取得手段で取得された前記ユーザ情報に対応する印刷データを表示画面に表示し、前記判定手段で前記認証手段が有効でないと判定された場合であって、前記選択受付手段で前記ユーザアイコンの選択を受け付けた場合に、前記書誌情報を用いて、当該選択を受け付けたユーザアイコンのユーザ情報に対応する印刷データを表示画面に表示する印刷データ表示手段と
を備えることを特徴とする画像形成装置。
【請求項２】
前記画像形成装置は認証アプリケーションを記憶し、
前記判定手段は、前記認証アプリケーションが動作している場合に前記認証手段が有効であると判定して、前記認証アプリケーションが動作していない場合に前記認証手段が有効でないと判定し、
前記ユーザアイコン表示手段は、前記画像形成装置の認証アプリケーションが動作していない場合に前記ユーザアイコンを一覧表示し、
前記印刷データ表示手段は、前記認証アプリケーションが動作している場合であって、前記認証手段で認証情報の入力を受け付けた場合に、前記ユーザアイコン表示手段による前記ユーザアイコンの表示をすることなく、前記認証手段で受け付けた認証情報に基づいて前記ユーザ情報取得手段で取得されたユーザ情報に対応する印刷データを表示画面に表示することを特徴とする請求項１に記載の画像形成装置。
【請求項３】
印刷データを記憶する印刷データ記憶手段と、
前記書誌情報から取得したユーザ情報を記憶するユーザ情報記憶手段と、
前記ユーザ情報記憶手段で記憶されている前記ユーザ情報に対応する前記印刷データが前記印刷データ記憶手段に記憶されているか否かを判定する印刷データ記憶判定手段と
を更に備え、
前記ユーザアイコン表示手段は、前記印刷データ記憶判定手段で前記ユーザ情報に対応する前記印刷データが記憶されていると判定した場合に、当該ユーザ情報に対応するユーザアイコンを表示画面に表示することを特徴とする請求項１または２に記載の画像形成装置。
【請求項４】
前記印刷データ表示手段で表示される前記印刷データの印刷指示を受け付けることで当該印刷データを印刷する印刷手段と、
を備え、
前記印刷データ記憶判定手段は、前記印刷手段で印刷をした前記印刷データのユーザ情報と同一のユーザ情報に対応する印刷データが、前記印刷データ記憶手段に記憶されているか否かを判定し、
前記ユーザアイコン表示手段は、前記印刷データ記憶判定手段で、前記印刷をした前記印刷データのユーザ情報と同一のユーザ情報に対応する印刷データが、前記印刷データ記憶手段に記憶されていないと判定した場合、前記印刷データが記憶されていないユーザのユーザアイコンを表示させることなく、前記印刷データ記憶手段に記憶されている印刷データに対応するユーザ情報のユーザアイコンを表示することを特徴とする請求項３項に記載の画像形成装置。
【請求項５】
前記印刷手段で印刷をした前記印刷データを前記印刷データ記憶手段から削除する削除手段
を更に備え、
前記ユーザ情報記憶手段は、前記削除手段により前記印刷データが前記画像形成装置から削除されても、当該印刷データに対応する前記ユーザ情報を削除せずに記憶したままにすることを特徴とする請求項４に記載の画像形成装置。
【請求項６】
警告対象の設定がされた印刷データにかかる警告をするか否かを設定する設定手段と、
前記設定手段で警告をする設定がされている場合に、前記印刷データ表示手段で表示された印刷データのうち選択されている印刷データであって、前記警告対象の設定がされている前記印刷データにかかる警告を行う警告手段と、
を備えることを特徴とする請求項１乃至５のいずれか１項に記載の画像形成装置。
【請求項７】
前記ユーザアイコン表示手段で表示される前記ユーザアイコンの選択を受け付けた場合に、前記印刷データ表示手段で前記印刷データを表示するための識別文字列の入力要求を行う入力要求手段
を更に備え、
前記印刷データ表示手段は、前記入力要求手段により要求された識別文字列の入力を受け付けた場合に、当該選択されたユーザアイコンのユーザ情報に対応する印刷データを表示画面に表示することを特徴とする請求項１乃至６のいずれか１項に記載の画像形成装置。
【請求項８】
前記書誌情報は、前記印刷データを識別するドキュメント名と、前記印刷データの設定情報とを更に含み、
前記印刷データ表示手段は、前記書誌情報に含まれる前記ドキュメント名と、前記設定情報を印刷データと共に一覧表示させることを特徴とする請求項１乃至７のいずれか１項に記載の画像形成装置。
【請求項９】
情報処理装置と、当該情報処理装置により生成された印刷データがいずれのユーザ情報に対応するかの情報を含む書誌情報を記憶する記憶手段と、所定の前記ユーザ情報に対応する印刷データの表示に用いるユーザ情報を取得するための認証情報の入力を受け付ける認証手段とを備える画像形成装置を含む画像形成システムであって、
前記情報処理装置は、
前記書誌情報を取得可能な印刷データを生成する印刷データ生成手段、
を備え、
前記画像形成装置は、
所定の前記ユーザ情報に対応する印刷データを表示画面に表示すべく、前記認証手段により受け付けた前記認証情報に基づいてユーザ情報を取得するユーザ情報取得手段と、
前記認証情報の入力を受け付ける前記認証手段が有効か判定する判定手段と、
前記判定手段で前記認証手段が有効でないと判定された場合に、いずれのユーザ情報に対応する印刷データを表示画面に表示するかを選択させるための、ユーザ情報に対応するユーザアイコンを表示画面に表示するユーザアイコン表示手段と、
前記ユーザアイコン表示手段により表示されたユーザアイコンの選択を受け付ける選択受付手段と、
前記判定手段で前記認証手段が有効であると判定された場合であって、前記認証手段で前記認証情報の入力を受け付けた場合に、前記ユーザアイコン表示手段による前記ユーザアイコンの表示をすることなく、前記認証手段で受け付けた認証情報及び前記書誌情報に基づいて前記ユーザ情報取得手段で取得された前記ユーザ情報に対応する印刷データを表示画面に表示し、前記判定手段で前記認証手段が有効でないと判定された場合であって、前記選択受付手段で前記ユーザアイコンの選択を受け付けた場合に、前記書誌情報を用いて、当該選択を受け付けたユーザアイコンのユーザ情報に対応する印刷データを表示画面に表示する印刷データ表示手段と
を備えることを特徴とする画像形成システム。
【請求項１０】
印刷データがいずれのユーザ情報に対応するかの情報を含む書誌情報を記憶する記憶手段と、所定の前記ユーザ情報に対応する印刷データの表示に用いるユーザ情報を取得するための認証情報の入力を受け付ける認証手段と、を備える画像形成装置の制御方法であって、
前記画像形成装置において、
ユーザ情報取得手段が、所定の前記ユーザ情報に対応する印刷データを表示画面に表示すべく、前記認証手段により受け付けた前記認証情報に基づいてユーザ情報を取得するユーザ情報取得ステップと、
判定手段が、前記認証情報の入力を受け付ける前記認証手段が有効か判定する判定ステップと、
ユーザアイコン表示手段が、前記判定ステップで前記認証手段が有効でないと判定された場合に、いずれのユーザ情報に対応する印刷データを表示画面に表示するかを選択させるための、ユーザ情報に対応するユーザアイコンを表示画面に表示するユーザアイコン表示ステップと、
選択受付手段が、前記ユーザアイコン表示手段により表示されたユーザアイコンの選択を受け付ける選択受付ステップと、
印刷データ表示手段が、前記判定ステップで前記認証手段が有効であると判定された場合であって、前記認証手段で前記認証情報の入力を受け付けた場合に、前記ユーザアイコン表示ステップによる前記ユーザアイコンの表示をすることなく、前記認証手段で受け付けた認証情報及び前記書誌情報に基づいて前記ユーザ情報取得ステップで取得された前記ユーザ情報に対応する印刷データを表示画面に表示し、前記判定ステップで前記認証手段が有効でないと判定された場合であって、前記選択受付ステップで前記ユーザアイコンの選択を受け付けた場合に、前記書誌情報を用いて、当該選択を受け付けたユーザアイコンのユーザ情報に対応する印刷データを表示画面に表示する印刷データ表示ステップと
を含むことを特徴とする制御方法。
【請求項１１】
印刷データがいずれのユーザ情報に対応するかの情報を含む書誌情報を記憶する記憶手段と、所定の前記ユーザ情報に対応する印刷データの表示に用いるユーザ情報を取得するための認証情報の入力を受け付ける認証手段と、を備える画像形成装置で実行が可能なプログラムであって、
前記画像形成装置を、
所定の前記ユーザ情報に対応する印刷データを表示画面に表示すべく、前記認証手段により受け付けた前記認証情報に基づいてユーザ情報を取得するユーザ情報取得手段と、
前記認証情報の入力を受け付ける前記認証手段が有効か判定する判定手段と、
前記判定手段で前記認証手段が有効でないと判定された場合に、いずれのユーザ情報に対応する印刷データを表示画面に表示するかを選択させるための、ユーザ情報に対応するユーザアイコンを表示画面に表示するユーザアイコン表示手段と、
前記ユーザアイコン表示手段により表示されたユーザアイコンの選択を受け付ける選択受付手段と、
前記判定手段で前記認証手段が有効であると判定された場合であって、前記認証手段で前記認証情報の入力を受け付けた場合に、前記ユーザアイコン表示手段による前記ユーザアイコンの表示をすることなく、前記認証手段で受け付けた認証情報及び前記書誌情報に基づいて前記ユーザ情報取得手段で取得された前記ユーザ情報に対応する印刷データの印刷データを表示画面に表示し、前記判定手段で前記認証手段が有効でないと判定された場合であって、前記選択受付手段で前記ユーザアイコンの選択を受け付けた場合に、前記書誌情報を用いて、当該選択を受け付けたユーザアイコンのユーザ情報に対応する印刷データを表示画面に表示する印刷データ表示手段として機能させることを特徴とするプログラム。
【請求項１２】
情報処理装置と、当該情報処理装置により生成された印刷データがいずれのユーザ情報に対応するかの情報を含む書誌情報を記憶する記憶手段と、所定の前記ユーザ情報に対応する印刷データの表示に用いるユーザ情報を取得するための認証情報の入力を受け付ける認証手段とを備える画像形成装置を含む画像形成システムの制御方法であって、
前記情報処理装置において、
前記書誌情報を取得可能な印刷データを生成する印刷データ生成工程、
を含み、
前記画像形成装置において、
所定の前記ユーザ情報に対応する印刷データを表示画面に表示すべく、前記認証手段により受け付けた前記認証情報に基づいてユーザ情報を取得するユーザ情報取得工程と、
前記認証情報の入力を受け付ける前記認証手段が有効か判定する判定工程と、
前記判定工程で前記認証手段が有効でないと判定された場合に、いずれのユーザ情報に対応する印刷データを表示画面に表示するかを選択させるための、ユーザ情報に対応するユーザアイコンを表示画面に表示するユーザアイコン表示工程と、
前記ユーザアイコン表示工程により表示されたユーザアイコンの選択を受け付ける選択受付工程と、
前記判定工程で前記認証手段が有効であると判定された場合であって、前記認証手段で前記認証情報の入力を受け付けた場合に、前記ユーザアイコン表示工程による前記ユーザアイコンの表示をすることなく、前記認証手段で受け付けた認証情報及び前記書誌情報に基づいて前記ユーザ情報取得工程で取得された前記ユーザ情報に対応する印刷データを表示画面に表示し、前記判定工程で前記認証手段が有効でないと判定された場合であって、前記選択受付工程で前記ユーザアイコンの選択を受け付けた場合に、前記書誌情報を用いて、当該選択を受け付けたユーザアイコンのユーザ情報に対応する印刷データを表示画面に表示する印刷データ表示工程と
を含むことを特徴とする画像形成システムの制御方法。
【請求項１３】
情報処理装置と、当該情報処理装置により生成された印刷データがいずれのユーザ情報に対応するかの情報を含む書誌情報を記憶する記憶手段と、所定の前記ユーザ情報に対応する印刷データの表示に用いるユーザ情報を取得するための認証情報の入力を受け付ける認証手段とを備える画像形成装置を含む画像形成システムで実行が可能なプログラムであって、
前記情報処理装置を、
前記書誌情報を取得可能な印刷データを生成する印刷データ生成手段として機能させ、
前記画像形成装置を、
所定の前記ユーザ情報に対応する印刷データを表示画面に表示すべく、前記認証手段により受け付けた前記認証情報に基づいてユーザ情報を取得するユーザ情報取得手段と、
前記認証情報の入力を受け付ける前記認証手段が有効か判定する判定手段と、
前記判定手段で前記認証手段が有効でないと判定された場合に、いずれのユーザ情報に対応する印刷データを表示画面に表示するかを選択させるための、ユーザ情報に対応するユーザアイコンを表示画面に表示するユーザアイコン表示手段と、
前記ユーザアイコン表示手段により表示されたユーザアイコンの選択を受け付ける選択受付手段と、
前記判定手段で前記認証手段が有効であると判定された場合であって、前記認証手段で前記認証情報の入力を受け付けた場合に、前記ユーザアイコン表示手段による前記ユーザアイコンの表示をすることなく、前記認証手段で受け付けた認証情報及び前記書誌情報に基づいて前記ユーザ情報取得手段で取得された前記ユーザ情報に対応する印刷データを表示画面に表示し、前記判定手段で前記認証手段が有効でないと判定された場合であって、前記選択受付手段で前記ユーザアイコンの選択を受け付けた場合に、前記書誌情報を用いて、当該選択を受け付けたユーザアイコンのユーザ情報に対応する印刷データを表示画面に表示する印刷データ表示手段として機能させることを特徴とする画像形成システムのプログラム。